(57)【要約】      （修正有）【課題】クランプ類等の仮設機材等を収容するのに適した袋に関し、袋の開口部を簡単かつ確実に開閉でき、物品を入れやすく、内容量を十分確保できるとともに、物品を収容した状態で袋を積み重ねるときも、扁平で整った形状に均しやすく安定した状態に積み重ねることができる袋を提供する。【解決手段】筒状の合成樹脂シートを扁平状にし、一方の開口部を封止して底部３とし、他方の開口部を上部開口部５とした可撓性を有する袋１であり、袋の一方の側縁部６の上部から上部開口部に向けて斜状にカットされた斜状切断部７を備える。一対のファスナーテープ２１と一対のエレメント列２２とスライダー２４とを備えたスライドファスナー２０を、スライドファスナーを閉じたときスライダーが側縁部６側に位置するように上部開口部の端縁に沿って取り付ける。【選択図】図２
0003187723.tif 000002
【実用新案登録請求の範囲】
【請求項１】
筒状の合成樹脂シートを扁平状にし、一方の開口部を封止して底部となし、該底部と対向する他方の開口部を上部開口部となした可撓性を有する袋において、
前記袋の一方の側縁部の上部から前記上部開口部に向けて斜状にカットされた斜状切断部を備えるとともに、
一対のファスナーテープと、該ファスナーテープの対向するテープ側縁部に取着した一対のエレメント列と、該一対のエレメント列を噛合・分離させるスライダーとを備えたスライドファスナーを、前記上部開口部の端縁に沿って、かつ前記スライドファスナーのエレメント列を噛合させて前記スライダーを移動して前記スライドファスナーを閉じたとき前記スライダーが前記一方の側縁部側に位置するように、取り付けてなる袋。
【請求項２】
前記スライドファスナーは、該スライドファスナーを閉じたとき前記スライダーの離脱を防ぐ上止を備え、該上止側の前記ファスナーテープの端部は、前記斜状切断部の上端部よりも前記袋の一方の側縁部側へ横方向に突出している、請求項１に記載の袋。
【請求項３】
前記袋の他方の側縁部の上部から前記上部開口部に向けて斜状にカットされた斜状切断部を備えた、請求項１又は２に記載の袋。
【請求項４】
前記ファスナーは上止及び下止を備え、該上止及び下止は、それぞれ横方向において前記斜状切断部の上端部から前記袋の各側縁部までの間に位置する、請求項３に記載の袋。
【考案の詳細な説明】
【技術分野】
【０００１】
本考案は、工場、工事現場等において資材、クランプ類等の仮設機材、廃材等を収容するのに適した袋に関する。
【背景技術】
【０００２】
従来、工事現場等において資材、クランプ類等の仮設機材、廃材等を収容して保管したり運搬したりすることが行われているが、そのような用途に使用するための専用の袋というものはなく、土砂等を収容して使用するための土嚢袋を用いることが一般的であった。
土嚢袋としては、袋体の上辺の袋口の袋口端に沿った筒部内に、袋口閉鎖用の紐を通したものが知られている。
例えば、特許文献１に記載された土嚢では、袋体２の袋口端８を外側に折返し、折返しの先端を袋体２に縫合して袋口端８の袋口に両端を開口した袋状の帯９を形成する。この袋状の帯９に紐１０を挿通して、紐１０の両端を引出す。そして、使用時には、袋体２の袋口端８を開き、土砂あるいは岩石等を袋体２内に収納し、紐１０の両端を引張って袋口端８を閉じ、紐１０の両端を袋口端８の周囲に巻回して、袋口端８から土砂や岩石が洩れないように絞束する。
しかしながら、上記のような袋においては、物を入れた後、袋状の帯９から紐１０の両端を引っ張り出す、紐１０の両端を袋口端８の周囲に巻回す、紐１０を結び締める、という作業が必要であり、袋の開口部を閉じる作業が簡単とはいえず、手間取るという問題点がある。また、物を出すときには紐を解く作業等が必要で手間取る。
加えて、このような袋においては、袋体の開口部を紐で絞り込むため、袋体が変形して十分な内容量を確保しにくく、また、物を収容した状態で袋を積み重ねるときなど、袋体の形状を扁平で整った形状にしにくく不安定な積み重ね方になるといった問題点がある。
【先行技術文献】
【特許文献】
【０００３】
【特許文献１】登録実用新案第３０５５５７５号公報
【考案の概要】
【考案が解決しようとする課題】
【０００４】
上記背景技術に鑑み、本考案は、工場、工事現場等において資材、クランプ類等の仮設機材、廃材等を収容するのに適した袋に関し、袋の開口部を簡単かつ確実に開閉することができ、また、物品を入れやすく、内容量を十分確保できるとともに、物品を収容した状態で袋を積み重ねるときも、扁平で整った形状に均しやすく、安定した状態に積み重ねることができる袋を提供することを課題とする。
【課題を解決するための手段】
【０００５】
（１）筒状の合成樹脂シートを扁平状にし、一方の開口部を封止して底部となし、該底部と対向する他方の開口部を上部開口部となした可撓性を有する袋において、
前記袋の一方の側縁部の上部から前記上部開口部に向けて斜状にカットされた斜状切断部を備えるとともに、
一対のファスナーテープと、該ファスナーテープの対向するテープ側縁部に取着した一対のエレメント列と、該一対のエレメント列を噛合・分離させるスライダーとを備えたスライドファスナーを、前記上部開口部の端縁に沿って、かつ前記スライドファスナーのエレメント列を噛合させて前記スライダーを移動して前記スライドファスナーを閉じたとき前記スライダーが前記一方の側縁部側に位置するように、取り付けてなる袋である。
（２）前記スライドファスナーは、該スライドファスナーを閉じたとき前記スライダーの離脱を防ぐ上止を備え、該上止側の前記ファスナーテープの端部は、前記斜状切断部の上端部よりも前記袋の一方の側縁部側へ横方向に突出しているものである。
（３）前記袋の他方の側縁部の上部から前記上部開口部に向けて斜状にカットされた斜状切断部を備えたものである。
（４）前記スライドファスナーは上止及び下止を備え、該上止及び下止は、それぞれ横方向において前記斜状切断部の上端部から前記袋の各側縁部までの間に位置するものである。
【考案の効果】
【０００６】
本考案は、次のような効果を奏する。
（１）袋の開閉は、スライドファスナーのスライダーを移動させて行うのみであるため、開口部を簡単かつ確実に開閉することができる。
スライドファスナーを開いた状態において、一方の側縁部の上部に設けられた斜状切断部が上部開口部に連なり、該斜状切断部を含む比較的広い開口部が形成されるため、物品の出し入れがしやすい。斜状切断部付近も外側へめくりやすく、かつ邪魔にならない。
スライドファスナーは上部開口部に沿って取り付けられるため、スライドファスナーの全体長さを、斜状切断部を有しない通常の袋よりも短くすることができ、経済的である。
物品を収容して袋の上部開口部を閉じた際、袋の変形を来たすことがなく、内容量を十分確保できる。物品を収容した状態で袋を積み重ねるときも、扁平で整った形状に均しやすく、安定した状態に積み重ねることができる。しかも、斜状切断部は、物品を収容した後、袋内部のエア抜き部として機能するため、より均しやすい。
スライドファスナーは、斜状切断部に連なる上部開口部の端縁に取り付けられるため、逢着その他の取り付けを行う際、ファスナーテープ部分を袋の上部開口部の内面に位置するように合わせやすく、製造も簡便である。
（２）スライドファスナーを閉じたときスライダーの離脱を防ぐ上止を備え、該上止側のファスナーテープの端部は、斜状切断部の上端部よりも袋の一方の側縁部側へ横方向に突出している構成により、この突出したファスナーテープの端部を、袋の上部開口部を開く際のとっかかりとして摘んで開くことができるので、開口部を拡げる作業がよりしやすい。
（３）袋の他方の側縁部の上部から上部開口部に向けて斜状にカットされた斜状切断部を備えた構成により、スライドファスナーの全体長さを、さらに短くすることができ、経済的である。
（４）スライドファスナーは上止及び下止を備え、該上止及び下止は、それぞれ横方向において斜状切断部の上端部から袋の各側縁部までの間に位置する構成により、スライドファスナーの全体長さを不必要に長くすることなく、開口部の広さを十分にとることができる。
【図面の簡単な説明】
【０００７】
【図１】実施例の袋１の正面図である。
【図２】実施例の袋１のスライドファスナー２０を閉じた状態の斜視図である。
【図３】実施例の袋１のスライドファスナー２０を開いた状態の斜視図である。
【考案を実施するための形態】
【０００８】
本考案に係る袋は、例えば、ポリプロピレン、ポリエチレン等のフラットヤーンクロスやこれを基材として熱可塑性樹脂フィルムを積層した、可撓性の合成樹脂シートが好適に用いられる。
上記のような素材からなる筒状に形成された合成樹脂シートを扁平状にし、正面視矩形状としたものを用い、一方の開口部を封止して底部となし、該底部と対向する他方の開口部を上部開口部とし、袋体とする。そして、この袋体に加工を施すとともにスライドファスナーを取り付け、袋となす。
袋の大きさは、一例を示すと、幅５０ｃｍ、高さ６３ｃｍ程度である。
【実施例】
【０００９】
袋１は、筒状の合成樹脂シートを扁平状にし、一方の開口部を封止して底部３となし、該底部３と対向する他方の開口部を上部開口部５となしている。筒状体を扁平状にした際の折り目部が側縁部６，７となる。
袋１の底部３は、端部を所定の幅で二回折り返して該部分を縫合することにより形成されている。Ｌ１で示す破線は縫合線（ミシン目）である。
上部開口部５の端縁（上端縁）は所定幅で一回内側に折り返して該部分を縫合することにより、補強されている。Ｌ２で示す破線は縫合線（ミシン目）である。上記の折り返しは、通常、扁平状にした筒状の合成樹脂シートに、後述する斜状切断部７（及び９）を形成した後行われる。
【００１０】
袋１の一方の側縁部６の上部から上部開口部５に向けてほぼ４５°の角度で斜状にカットされた斜状切断部７が設けられている。
また、袋１の他方の側縁部８から上部開口部５に向けてほぼ４５°の角度で斜状にカットされた斜状切断部９が設けられている。
各斜状切断部７，９の長さ及び角度は限定されるものではない。例えば、斜状切断部７，９の高さｈ１は、幅５０ｃｍ、高さ６３ｃｍ程度の袋１において、２．５ｃｍ程度とすることができる。また、斜状切断部７と斜状切断部９とは、必ずしも均等の長さ、角度である必要はない。
【００１１】
袋１の上部開口部５の端縁に沿って、スライドファスナー２０が取り付けられている。
スライドファスナー２０は、一対のファスナーテープ２１，２１と、該ファスナーテープ２１，２１の対向するテープ側縁部に取着した一対のエレメント列２２，２２と、該一対のエレメント列２２，２２を噛合・分離させるスライダー２４とを備えたものである。  スライドファスナー２０は、コイルファスナーその他公知の各種のものを用いることができる。符号２５は上止、符号２６は下止を示し、スライダー２４が飛び出すのを防ぐためのものである。
図２に示すとおり、スライドファスナー２０は、上部開口部５の端縁に沿って、かつスライドファスナ２０ーのエレメント列２２，２２を噛合させてスライダー２４を移動してスライドファスナー２０を閉じたときスライダー２４が前記一方の側縁部６側に位置するように、取り付けられている。
スライドファスナー２０の取り付けは、通常、前述した、折り返すことにより補強された袋１の上部開口部５の端縁近傍の対向する内面に、一対のファスナーテープ２１，２１部分をそれぞれ逢着することにより行われる。Ｌ３で示す破線は縫着線（ミシン目）である。
【００１２】
スライドファスナー２０は、通常のスライドファスナーと同様、該スライドファスナー２０を閉じたときスライダー２４の離脱を防ぐ上止２５を備えており、該上止２５側のファスナーテープ２１，２１の端部２１ａ，２１ａは、斜状切断部７の上端部よりも袋の一方の側縁部６側へ横方向に突出している。
図３に示すとおり、スライドファスナー２０を開くと、ファスナーテープ２１，２１の端部２１ａ，２１ａを含むファスナーテープ２１，２１同士は互いに離間する。
【００１３】
スライドファスナー２０の上止２５は、横方向において斜状切断部７の上端部から袋１の一方の側縁部６までの間（Ｗ１）に位置している。
また、スライドファスナー２０の下止２６は、横方向において斜状切断部９の上端部から袋１の他方の側縁部８までの間（Ｗ２）に位置している。
このため、斜状切断部７，９を設けたことと相まって、スライドファスナー２０の全体長さを、短くすることができ、経済的である。
【００１４】
袋１の開閉は、スライドファスナー２０のスライダー２４を移動させて行う。図３に示すとおり、開口部５を開くと、一方の側縁部６の上部に設けられた斜状切断部７が上部開口部５に連なり、該斜状切断部７を含む比較的広い開口部が形成されるため、物品の出し入れがしやすい。上部開口部５を拡げる際、スライドファスナー２０の上止２５側のファスナーテープの端部２０ａ，２０ａは、斜状切断部７の上端部よりも袋１の一方の側縁部６側へ横方向に突出しているため、この突出したファスナーテープの端部２０ａ，２０ａをとっかかりとして摘んで開くことができるので、開口部を拡げる作業がしやすい。
物品を収容したら、スライダー２４を移動させてスライドファスナー２０を閉じる。従来のように袋の口部を縛るものではないため、袋の変形を来たすことがなく、内容量を十分確保できる。物品を収容した状態で袋を積み重ねるときも、扁平で整った形状に均しやすく、安定した状態に積み重ねることができる。しかも、斜状切断部は、物品を収容した後、袋内部のエア抜き部として機能するため、より均しやすい。
【００１５】
以上、考案を実施するための形態を説明したが、上記の実施例に限定されず、本考案の要旨の範囲で適宜、付加、変形等なし得るものである。
上記実施例では、袋１の他方の側縁部８の上部から上部開口部５に向けて斜状にカットされた斜状切断部９を備えたものについて説明したが、袋１の他方の側縁部８の側、すなわち、スライドファスナー２０を開いた状態においてスライダー２４が位置する側においては、上記のような斜状切断部を設けない構成も採用し得る。
【産業上の利用可能性】
【００１６】
工場、工事現場等において資材、クランプ類等の仮設機材、廃材等を収容するのに特に有用である。
【符号の説明】
【００１７】
１  袋
３  底部
５  上部開口部
６  一方の側縁部
７  斜状切断部
８  他方の側縁部
９  斜状切断部
２０  スライドファスナー
２１，２１  一対のファスナーテープ
２１ａ  ファスナーテープの端部
２２，２２  エレメント列
２４  スライダー
２５  上止
２６  下止
【図１】
0003187723.tif 000003
【図２】
0003187723.tif 000004
【図３】
0003187723.tif 000005